(57)【特許請求の範囲】
【請求項１】
水が流入する側に爪を一体に突設して全体をＪ字形状に形成したスクリーンプレートを幅方向に櫛歯状に並設したスクリーンパネルを長手方向につなげて無端状スクリーンを形成し、該無端状スクリーンを回転駆動し、スクリーンプレートの爪にて捕捉した夾雑物をスクリーンの上部に配設したシュートに落下させるようにした濾面循環式除塵機のスクリーンにおいて、スクリーンプレートに、スクリーンプレートの爪の近傍の水が流入する側の面を水が流出する側に後退させて形成した所定奥行きの凹部を設けたことを特徴とする濾面循環式除塵機のスクリーン。
【請求項２】
スクリーンプレートが、複数枚ずつ連続して並設するスクリーンプレートと、該複数枚ずつ連続して並設するスクリーンプレート群の間に配設する、複数枚ずつ連続して並設するスクリーンプレートより板厚の大きいスクリーンプレートとからなり、該板厚の大きいスクリーンプレートを複数枚ずつ連続して並設するスクリーンプレート群より水が流入する側に突出するように配設したことを特徴とする請求項１記載の濾面循環式除塵機のスクリーン。
【発明の詳細な説明】
【技術分野】
【０００１】
本発明は、濾面循環式除塵機のスクリーンに関し、特に、ペットボトルや木片などの粗大なゴミを掻き揚げるとともに、爪とシュートとの隙間を大きくすることなく、スクリーン表面に付着した細かな夾雑物もシュートに落とすことができる濾面循環式除塵機のスクリーンに関するものである。
【背景技術】
【０００２】
従来、例えば、図８に示すように、スクリーンプレート１を櫛歯状に並設したスクリーンパネル２をつなげて無端状スクリーン３を形成し、該無端状スクリーン３をその下部内側に水が流入するように張架配設するとともに、該無端状スクリーン３を回転駆動し、スクリーンプレート１の爪４にて捕捉した夾雑物をスクリーン３の上部内側に配設したシュート５に落下させるようにした濾面循環式除塵機が提案されている。
【０００３】
この濾面循環式除塵機は、スクリーン表面に付着した厨芥や人糞などの夾雑物を捕捉して掻き揚げるとともに、ゴルフボール程度の大きさのゴミを掻き揚げられるようにスクリーンプレート１に爪４が設けられているが、このスクリーンプレート１の爪４では、ペットボトルや木片などの粗大なものは掻き揚げることができなかった。
【０００４】
また、この爪４を大きく伸ばして粗大なものを掻き揚げられる構造とした場合、シュート５との隙間Ｌを隙間Ｌ’と大きくしなければならず、そうすると、スクリーン表面に付着した細かな夾雑物がシュート５に落ちないという問題があった。
また、スクリーンプレートの板厚が小さい場合、粗大なゴミによりスクリーンプレートの変形が生じるという問題があり、これに対処するためスクリーンプレートの板厚を大きくすると通水性能が低下するという問題が生じる。
【発明の開示】
【発明が解決しようとする課題】
【０００５】
本発明は、上記従来の濾面循環式除塵機が有する問題点に鑑み、ペットボトルや木片などの粗大なゴミを掻き揚げるとともに、爪とシュートとの隙間を大きくすることなく、スクリーン表面に付着した細かな夾雑物もシュートに落とすことができる濾面循環式除塵機のスクリーンを提供することを目的とする。
【課題を解決するための手段】
【０００６】
上記目的を達成するため、本発明の濾面循環式除塵機のスクリーンは、水が流入する側に爪を一体に突設して全体をＪ字形状に形成したスクリーンプレートを幅方向に櫛歯状に並設したスクリーンパネルを長手方向につなげて無端状スクリーンを形成し、該無端状スクリーンを回転駆動し、スクリーンプレートの爪にて捕捉した夾雑物をスクリーンの上部に配設したシュートに落下させるようにした濾面循環式除塵機のスクリーンにおいて、スクリーンプレートに、スクリーンプレートの爪の近傍の水が流入する側の面を水が流出する側に後退させて形成した所定奥行きの凹部を設けたことを特徴とする。
【０００７】
この場合において、スクリーンプレートが、複数枚ずつ連続して並設するスクリーンプレートと、該複数枚ずつ連続して並設するスクリーンプレート群の間に配設する、複数枚ずつ連続して並設するスクリーンプレートより板厚の大きいスクリーンプレートとからなり、該板厚の大きいスクリーンプレートを複数枚ずつ連続して並設するスクリーンプレート群より水が流入する側に突出するように配設することができる。
【発明の効果】
【０００８】
本発明の濾面循環式除塵機のスクリーンによれば、スクリーンプレートに、スクリーンプレートの爪の近傍の水が流入する側の面を水が流出する側に後退させて形成した所定奥行きの凹部を設けることから、スクリーンに懐をつくり、そこをレーキとして粗大なゴミを掻き揚げるとともに、爪によるスクリーン前面の出代は従来と変わらないため、シュートとの隙間を大きくする必要がなく、スクリーン表面に付着した細かな夾雑物もシュートに落とすことができる。
【０００９】
また、スクリーンプレートが、複数枚ずつ連続して並設するスクリーンプレートと、該複数枚ずつ連続して並設するスクリーンプレート群の間に配設する、複数枚ずつ連続して並設するスクリーンプレートより板厚の大きいスクリーンプレートとからなり、該板厚の大きいスクリーンプレートを複数枚ずつ連続して並設するスクリーンプレート群より水が流入する側に突出するように配設することにより、通水性能の低下を阻止しながら、粗大物の衝突によるスクリーンプレートの変形や破損を防止することができる。
また、水が流入する側に突出する板厚の大きいスクリーンプレート以外は、スクリーンプレートの板厚を従来より小さくしてスクリーン開口率を大きくすることができ、これにより、スクリーンの通水性能を大きくすることができる。
【発明を実施するための最良の形態】
【００１０】
以下、本発明の濾面循環式除塵機のスクリーンの実施の形態を、図面に基づいて説明する。
【実施例１】
【００１１】
図１〜図６に、本発明の濾面循環式除塵機のスクリーンを適用した濾面循環式除塵機の一実施例を示す。
この濾面循環式除塵機は、例えば、図６に示すように、多数のスクリーンプレート１を幅方向に櫛歯状に並設したスクリーンパネル２を長手方向につなげて無端状スクリーン３を形成し、該無端状スクリーン３をその下部内側に水が流入するように張架配設するとともに、該無端状スクリーン３を回転駆動し、スクリーンプレート１の爪４にて捕捉した夾雑物をスクリーン３の上部内側に配設したシュート５に落下させるようにしている。
そして、この濾面循環式除塵機は、図１〜図３に示すように、前記爪４の後方に、スクリーンプレート１をその支持部１１を越えて後退させることにより形成した所定奥行きの凹部６を設けるとともに、図５に示すように、並設するスクリーンプレート１の板厚に差を設け、板厚の大きいスクリーンプレート１ｂ、１ｃを流入側に突出するように所定間隔で配設している。
【００１２】
１つのリンクを構成するスクリーンパネル２は、図２に示すように、例えば、１００枚程度のスクリーンプレート１をスペーサ７を介して一定の目幅で平行に並べて枠組みしたものからなり、板厚の大きいスクリーンプレート１ｂ、１ｃを、多数を占める板厚の小さいスクリーンプレート１ａの間に、両端から数枚間隔で配設するようにしている。
図３に示すように、板厚の大きいスクリーンプレート１ｂ、１ｃは、流入側の外形が板厚の小さいスクリーンプレート１ａより一回り大きく形成されており、これにより、図５に示すように、板厚の小さいスクリーンプレート１ａより流入側に少し突出するようになっている。
また、凹部６は、図１に示すように、スクリーンプレート１をその下部がプレート枠１２への支持部１１を越えて後退するＪ字状に形成することにより、ペットボトルＰや木片などの粗大なゴミを掻き揚げることができる奥行きに形成されている。
ちなみに、本実施例では、凹部６は、少なくとも直径７０ｍｍサイズのペットボトルを支持できる奥行き以上に形成し、ターゲットとするペットボトルのサイズによって凹部６の奥行きを設計するようにする。
なお、両端に配設される板厚の大きいスクリーンプレート１ｃは、凹部６を埋めるようにスクリーンプレートを形成することにより、プレート枠１２との間に隙間ができないようにしているが、それ以外のスクリーンプレート１ａ、１ｂはほぼ同形状の凹部６を有し、スクリーンパネル２にはスクリーンプレート１の並び方向に連続する凹部６が形成されている。
【００１３】
次に、本実施例の濾面循環式除塵機の動作を説明する。
この濾面循環式除塵機は、例えば、図６に示すように、スプロケットＳにより、並設した長円状のレール８に沿ってチェーン９を駆動するとともに、対向するチェーン９の間に無端状スクリーン３を架設し、該チェーン９でスクリーン３を循環移動させることにより、スクリーン３で濾過したし渣や、爪４で掻き揚げたゴミを上部位置でシュート５に回収する。
【００１４】
この場合、本実施例の濾面循環式除塵機は、図１に示すように、前記爪４の後方に、スクリーンプレート１を後退させて形成した所定奥行きの凹部６を設けているため、スクリーンに懐をつくり、爪４と凹部６をレーキとして粗大なゴミを掻き揚げることができる。
また、爪４によるスクリーン前面の出代は従来と変わらないため、シュート５との隙間Ｌを大きくする必要がなく、これにより、スクリーン３表面に付着した細かな夾雑物もシュート５に落とすことができる。
【００１５】
そして、並設するスクリーンプレート１の板厚に差を設け、板厚の大きいスクリーンプレート１ｂ、１ｃを流入側に突出するように所定間隔で配設することにより、通水性能の低下を阻止しながら、粗大物の衝突によるスクリーンプレート１の変形や破損を防止することができる。
また、流入側に突出する板厚の大きいスクリーンプレート１ｂ、１ｃ以外は、スクリーンプレート１ａの板厚を従来より小さくしてスクリーン開口率を大きくすることができ、これにより、スクリーン３の通水性能を大きくすることができる。
【００１６】
ところで、上記実施例においては、本発明の濾面循環式除塵機のスクリーンを、濾面を流水方向に対して平行に設置するようにした濾面循環式除塵機に適用した例について説明したが、このほか、図７に示すような、濾面を流水方向に対して直角に設置するようにした濾面循環式除塵機にも適用できることはいうまでもない。
【００１７】
以上、本発明の濾面循環式除塵機のスクリーンについて、その実施例に基づいて説明したが、本発明は上記実施例に記載した構成に限定されるものではなく、その趣旨を逸脱しない範囲において適宜その構成を変更することができる。
【産業上の利用可能性】
【００１８】
本発明の濾面循環式除塵機のスクリーンは、ペットボトルや木片などの粗大なゴミを掻き揚げるとともに、爪とシュートとの隙間を大きくすることなく、スクリーン表面に付着した細かな夾雑物もシュートに落とすことができるという特性を有していることから、下水・河川のゴミ除去スクリーンや浄水場用の取水スクリーン、一般産業用の取水スクリーン、食品産業用スクリーン等の用途に好適に用いることができる。
【図面の簡単な説明】
【００１９】
【図１】本発明の濾面循環式除塵機のスクリーンを適用した除塵機の一実施例を示す要部拡大図である。
【図２】同スクリーンパネルを示す斜視図である。
【図３】同スクリーンパネルを構成するスクリーンプレートを示し、（ａ）は板厚の小さいスクリーンプレートの側面図、（ｂ）は板厚の大きいスクリーンプレートを示す側面図、（ｃ）は両端に配設するスクリーンプレートの側面図である。
【図４】スクリーンパネルのスペーサを示し、（ａ）は平面図、（ｂ）は正面図、（ｃ）は背面図、（ｄ）は側面図、（ｅ）はＡ矢視断面図である。
【図５】板厚の小さいスクリーンプレートに対する板厚の大きいスクリーンプレートの突出状態を示す断面図である。
【図６】濾面循環式除塵機を示す概要図である。
【図７】異なる方式の濾面循環式除塵機を示す概要図である。
【図８】従来の濾面循環式除塵機の要部を示す正面図である。
【符号の説明】
【００２０】
１    スクリーンプレート
１１  支持部
１２  プレート枠
２    スクリーンパネル
３    スクリーン
４    爪
５    シュート
６    凹部
７    スペーサ
８    レール
９    チェーン
Ｌ    隙間
【図１】
0004440854.tif 000002
【図２】
0004440854.tif 000003
【図３】
0004440854.tif 000004
【図４】
0004440854.tif 000005
【図５】
0004440854.tif 000006
【図６】
0004440854.tif 000007
【図７】
0004440854.tif 000008
【図８】
0004440854.tif 000009